(57)【要約】【課題】運転中における体温調節服との接続解除からポンプを保護することができる流体温度調節装置及びこれを備えた体温調節システムを提供する。【解決手段】本発明の一形態に係る流体温度調節装置は、体温調節服の内部を循環する流体の温度を調節する流体温度調節装置であって、冷熱回路と、流体回路とを具備する。上記冷熱回路は、上記流体を冷却又は加熱する熱交換器を有する。上記流体回路は、吸入配管と、送出配管と、ポンプと、バイパス流路とを有する。上記吸入配管は、上記体温調節服の流体送出口に着脱可能に構成された第１の接続部を含む。上記送出配管は、上記体温調節服の流体取入口に着脱可能に構成された第２の接続部を含む。上記ポンプは、上記吸入配管内の流体を上記熱交換器を介して上記送出配管へ送出する。上記バイパス流路は、上記吸入配管と上記送出配管との間を接続する。【選択図】図２
2019108623.tif 000002
【特許請求の範囲】
【請求項１】
体温調節服の内部を循環する流体の温度を調節する流体温度調節装置であって、
前記流体を冷却又は加熱する熱交換器を有する冷熱回路と、
前記体温調節服の流体送出口に着脱可能に構成された第１の接続部を含む吸入配管と、前記体温調節服の流体取入口に着脱可能に構成された第２の接続部を含む送出配管と、前記吸入配管内の流体を前記熱交換器を介して前記送出配管へ送出するポンプと、前記吸入配管と前記送出配管との間を接続するバイパス流路と、を有する流体回路と
を具備する流体温度調節装置。
【請求項２】
請求項１に記載の流体温度調節装置であって、
前記バイパス流路は、前記第１及び第２の接続部が前記体温調節服にそれぞれ接続された状態において、前記流体の流路の一部を形成する
流体温度調節装置。
【請求項３】
請求項２に記載の流体温度調節装置であって、
前記冷熱回路と前記流体回路を収容する筐体をさらに具備し、
前記バイパス流路は、前記筐体の外面に配置される
流体温度調節装置。
【請求項４】
請求項３に記載の流体温度調節装置であって、
前記筐体を、前記体温調節服の着用者に固定する固定具と、
前記着用者に接触可能に前記筐体に設置され、前記バイパス流路を支持する支持体と
をさらに具備する流体温度調節装置。
【請求項５】
請求項１〜４のいずれか１つに記載の流体温度調節装置であって、
前記流体回路は、前記送出配管を流れる流体の流量をＰ１、前記バイパス流路を流れる流体の流量をＰ２としたとき、Ｐ２／Ｐ１の値が０．４５以上０．６５以下となる条件を満たすように構成される
流体温度調節装置。
【請求項６】
流体送出口と流体取入口とを有し、着用者の体温を調節することが可能な体温調節服と、
前記体温調節服の内部を循環する流体の温度を調節する流体温度調節装置と
を具備し、
前記流体温度調節装置は、
前記流体を冷却又は加熱する熱交換器を有する冷熱回路と、
前記流体送出口に着脱可能に構成された第１の接続部を含む吸入配管と、前記流体取入口に着脱可能に構成された第２の接続部を含む送出配管と、前記吸入配管内の流体を前記熱交換器を介して前記送出配管へ送出するポンプと、前記吸入配管と前記送出配管との間を接続するバイパス流路と、を有する流体回路と、を有する
体温調節システム。
【発明の詳細な説明】
【技術分野】
【０００１】
本発明は、体温調節服の内部を循環する流体の温度を調節する流体温度調節装置及びこれを備えた体温調節システムに関する。
【背景技術】
【０００２】
近年、高温あるいは低温の作業環境にある屋内や、夏季あるいは冬季における屋外での作業での快適性を高めるため、冷却または加熱された流体を作業者の身体近傍に流通させることによって作業者の体温調節を行う体温調節服の開発が進められている（例えば特許文献１参照）。
【０００３】
体温調節服の内部を循環する流体の温度は、体温調節服に接続される流体温度調節装置によって調節される。流体温度調節装置は、典型的には、冷媒が循環する冷熱回路と、冷熱回路の熱交換器で冷却または加熱された流体を体温調節服に送出するポンプを含む流体回路とを有する。流体温度調節装置は、典型的には、体温調節服の着用者（作業者）の近傍に設置され、あるいは、作業者の背中や腰に取り付けることが可能に構成される。
【先行技術文献】
【特許文献】
【０００４】
【特許文献１】特開２０１７−１２５２７２号公報
【発明の概要】
【発明が解決しようとする課題】
【０００５】
流体温度調節装置の運転中において、例えば、作業者が一時的に現場から離れる等の理由で、体温調節服と流体温度調節装置との間の流路の接続を解除する場合がある。体温調節服及び流体温度調節装置各々の接続部には、典型的には、接続解除時に流路が自動的に閉止する流体継手（カプラ）が採用される。この場合、流体温度調節装置においては、ポンプが締め切り状態で運転することになるため、ポンプの種類によっては、ポンプの故障を招くことがある。
【０００６】
そこで、体温調節服との接続が解除された接続部どうしを別途用意した配管部材で相互に接続する等して、流体回路の締め切りを防ぐ方法が採用されることがある。しかしながら、上記配管部材の管理やその取り付けは作業者にとって煩わしいだけでなく、配管部材の取り付け忘れがポンプの故障につながるという問題がある。
【０００７】
以上のような事情に鑑み、本発明の目的は、運転中における体温調節服との接続解除からポンプを保護することができる流体温度調節装置及びこれを備えた体温調節システムを提供することにある。
【課題を解決するための手段】
【０００８】
上記目的を達成するため、本発明の一形態に係る流体温度調節装置は、体温調節服の内部を循環する流体の温度を調節する流体温度調節装置であって、冷熱回路と、流体回路とを具備する。
上記冷熱回路は、上記流体を冷却又は加熱する熱交換器を有する。
上記流体回路は、吸入配管と、送出配管と、ポンプと、バイパス流路とを有する。上記吸入配管は、上記体温調節服の流体送出口に着脱可能に構成された第１の接続部を含む。上記送出配管は、上記体温調節服の流体取入口に着脱可能に構成された第２の接続部を含む。上記ポンプは、上記吸入配管内の流体を上記熱交換器を介して上記送出配管へ送出する。上記バイパス流路は、上記吸入配管と上記送出配管との間を接続する。
【０００９】
上記流体温度調節装置においては、流体回路に吸入配管と送出配管との間を接続するバイパス流路が設けられているため、第１及び第２の接続部と体温調節服との接続が解除された場合でも、ポンプの締め切り運転を回避して、ポンプの保護を図ることができる。
【００１０】
上記バイパス流路は、上記第１及び第２の接続部が上記体温調節服にそれぞれ接続された状態において、上記流体の流路の一部を形成するように構成されてもよい。
これにより、電磁弁等の切替弁を必要とすることなく、ポンプ運転中に第１及び第２の接続部の接続が解除された場合でも、バイパス流路によって流体の流路を確保することができる。
【００１１】
上記構成において、上記流体温度調節装置は、上記冷熱回路と上記流体回路を収容する筐体をさらに具備し、上記バイパス流路は、上記筐体の外面に配置されてもよい。
これにより、バイパス流路における流体の放熱作用が促進される。また、当該筐体の外面が体温調節服の着用者に接するように構成されることで、着用者に対する局所的な冷却あるいは加温が可能となる。
【００１２】
例えば、上記流体温度調節装置は、上記筐体を上記体温調節服の着用者に固定する固定具と、上記着用者に接触可能に上記筐体に設置され上記バイパス流路を支持する支持体とをさらに具備してもよい。
これにより、筐体を着用者へ安定に固定することができるとともに、支持体による着用者の固定部位への冷却又は加温が可能となる。
【００１３】
上記流体回路は、上記送出配管を流れる流体の流量をＰ１、上記バイパス流路を流れる流体の流量をＰ２としたとき、Ｐ２／Ｐ１の値が０．４５以上０．６５以下となる条件を満たすように構成されてもよい。
これにより、体温調節服とバイパス流路とにバランス良く、流体を流すことが可能となる。
【００１４】
本発明の一形態に係る体温調節システムは、流体送出口と流体取入口とを有し着用者の体温を調節することが可能な体温調節服と、上記体温調節服の内部を循環する流体の温度を調節する流体温度調節装置とを具備する。
上記流体温度調節装置は、
上記流体を冷却又は加熱する熱交換器を有する冷熱回路と、
上記流体送出口に着脱可能に構成された第１の接続部を含む吸入配管と、上記流体取入口に着脱可能に構成された第２の接続部を含む送出配管と、上記吸入配管内の流体を上記熱交換器を介して上記送出配管へ送出するポンプと、上記吸入配管と上記送出配管との間を接続するバイパス流路とを有する流体回路と、を有する。
【発明の効果】
【００１５】
以上述べたように、本発明によれば、運転中における体温調節服との接続解除からポンプを保護することができる。
【図面の簡単な説明】
【００１６】
【図１】本発明の一実施形態に係る流体温度調節装置を備えた体温調節システムの使用例を示す作業者の側面図である。
【図２】上記体温調節システムの概略構成図である。
【図３】本発明の他の実施形態に係る体温調節システムの概略構成図である。
【発明を実施するための形態】
【００１７】
以下、図面を参照しながら、本発明の実施形態を説明する。
【００１８】
図１は、本発明の一実施形態に係る体温調節システム１の使用例を示す作業者の側面図、図２は、体温調節システム１の概略構成図である。
【００１９】
［体温調節システム］
本実施形態の体温調節システム１は、体温調節服１００と、流体温度調節装置２００とを備える。
体温調節服１００は、作業者Ｕが着用可能な適宜の形態の衣服であって、作業者Ｕの体温を調節（冷却又は加温）することが可能な流体（本例では、水）の循環通路を有する。
流体温度調節装置２００は、体温調節服１００の内部を循環する流体の温度を調節する冷熱回路を内蔵する。作業者Ｕは特に限定されず、典型的には、溶接現場や土木現場等の作業従事者が該当する。
【００２０】
本実施形態の体温調節システム１においては、流体温度調節装置２００が作業者Ｕの背後に取り付けられることで、体温調節服１００を着用する作業者Ｕと一体的に移動可能に構成される。
【００２１】
［体温調節服］
図２に示すように、体温調節服１００は、本体部１０と、本体部１０の内部に形成された循環通路１５とを有する。
【００２２】
本体部１０は、着用者である作業者Ｕの体型に合わせて構成され、胴部１１、袖部１２及び襟部１３を有する。胴部１１は、前身頃と後身頃とを有し、典型的には、右前身頃と左前身頃との合わせ目に閉止手段としてのスライドファスナを備える。本体部１０は、例えば、変形可能な複数の樹脂シートを適宜の位置で溶着した積層体、あるいは、これら樹脂シートと断熱シートとの積層体等で構成される。
【００２３】
本体部１０は、循環通路１５に接続される出水口１５１（流体送出口）及び入水口１５２（流体取入口）を有する。出水口１５１及び入水口１５２は、典型的には、胴部１１の適宜の位置に設けられる。
【００２４】
循環通路１５は、胴部１１、袖部１２及び襟部１３の各部位に流体を循環させることが可能に構成される。循環通路１５は、典型的には、本体部１０を構成する２枚の樹脂シートの間の非溶着部で形成され、入水口１５２から入水した冷却水（又は加温水）を本体部１０の各部位に巡回させてから出水口１５１へ導くことが可能な任意の流路パターンを有する。循環通路１５は、入水口１５２と出水口１５１との間を結ぶ１本の流路で形成される場合に限られず、適宜の位置に形成された分流路や合流路等を含んでいてもよい。
【００２５】
循環通路１５は、出水口１５１及び入水口１５２にそれぞれ接続された接続配管１６及びカプラ１７（１７１，１７２）を介して流体温度調節装置２００の流体回路２２へ液的に接続される。
【００２６】
［流体温度調節装置］
続いて、流体温度調節装置２００の詳細について説明する。
【００２７】
流体温度調節装置２００は、回路ユニット２０と、回路ユニット２０を収容する筐体３０と、筐体３０を作業者Ｕの腰部に固定する固定ベルト４０（固定具）とを有する。
【００２８】
回路ユニット２０は、冷熱回路２１と、流体回路２２と、これらの運転を制御する制御部２３とを有する。
【００２９】
冷熱回路２１は、冷媒を作動流体として用いる冷凍サイクル回路で構成され、圧縮機２１１と、凝縮器２１２と、キャビラリーチューブ２１３と、蒸発器２１４とを有する。以下、蒸発器２１４を熱交換器として流体回路２２内の流体（水）を所定温度に冷却する場合について説明する。
なお、蒸発器２１４を凝縮器として機能させるとともに、凝縮器２１２を蒸発器として機能させるようにすれば、流体回路２２内の流体を所定温度に加熱することができる。
【００３０】
圧縮機２１１は、例えば、冷媒系統内に潤滑油を保有する圧縮機で構成される。潤滑油は、圧縮機２１１の底部に貯留され、蒸発器２１４から供給される気体冷媒を圧縮させる際に必要量が汲み上げられて圧縮機２１１内部の摺動部を潤滑する。
【００３１】
凝縮器２１２は、圧縮機２１１から吐出された高温高圧の冷媒ガスを凝縮して液化させる。凝縮器２１２には必要に応じて凝縮効率を促進させるファン（不図示）が付設される。凝縮器２１２で凝縮された冷媒は、キャピラリーチューブ２１３で断熱膨張し、蒸発器２１４で蒸発（気化）する。キャピラリーチューブ２１３に代えて、電子膨張弁等が採用されてもよい。蒸発器２１４は、典型的には、複数の伝熱プレートの間に高温流体用の流路と低温流体用の流路とが交互に配列されたプレート式熱交換器で構成される。
【００３２】
流体回路２２は、吸水配管２２１（吸入配管）と、送水配管２２２（送出配管）と、タンク２２３と、ポンプ２２４と、バイパス流路２２５とを有する。
【００３３】
吸水配管２２１は、体温調節服１００の出水口１５１に着脱可能に構成されたカプラ１７１（第１の接続部）を含む。送水配管２２２は、体温調節服１００の入水口１５２に着脱可能に構成されたカプラ１７２（第２の接続部）を含む。カプラ１７１，１７２は、典型的には、接続解除時に流路が自動的に閉止する流体継手で構成される。以下、個別に説明する場合を除き、カプラ１７１，１７２をカプラ１７と総称する。
【００３４】
タンク２２３は、ポンプ２２４の吸込側に配置され、吸水配管２２１に導入された流体（冷却水）を貯留する。ポンプ２２４は、タンク２２３内の冷却水を蒸発器２１４へ向けて吐出する。ポンプ２２４は、典型的には、遠心ポンプ、斜流ポンプ、軸流ポンプ等の非容積型ポンプで構成される。ポンプ２２４から吐出された冷却水は、蒸発器２１４において、冷媒の蒸発潜熱に相当する熱量を奪われることで冷却される。蒸発器２１４において所定温度に冷却された冷却水は、送水配管２２２を介して体温調節服１００の入水口１５２へ送出される。
【００３５】
バイパス流路２２５は、吸水配管２２１と送水配管２２２との間に接続される。バイパス流路２２５は、ポンプ２２４の運転中にカプラ１７が体温調節服１００との接続を解除された場合において、送水配管２２２内の冷却水を吸水配管２２１へ流す通路として構成される。これにより、ポンプ２２４の運転中にカプラ１７の体温調節服１００との接続状態が解除された場合でも、ポンプ２２４の締め切り運転を回避して、ポンプ２２４を破損から保護することが可能となる。
【００３６】
バイパス流路２２５は、カプラ１７が体温調節服１００に接続された状態において、冷却水の流路の一部を形成するように構成される。これにより、電磁弁等の切替弁を必要とすることなく、ポンプ２２４の運転中にカプラ１７の接続が解除された場合でも、バイパス流路２２５によって流体回路２２における冷却水の循環流路が確保される。
【００３７】
バイパス流路２２５は、体温調節服１００の循環通路１５を循環する冷却水の所定の流量を確保することができる流路抵抗となるように設定される。具体的に、バイパス流路２２５の流路抵抗は、バイパス流路２２５を構成する通路の内径や長さによって設定される。
【００３８】
典型的には、バイパス流路２２５の流路抵抗は、体温調節服１００を循環する冷却水の流量を含むポンプ２２４の負荷、冷却水を構成する液体の種類（粘度や密度）、蒸発器２１４における冷媒の蒸発温度等に応じて最適化される。
例えば、バイパス流路２２５の流路抵抗が過度に小さいと、体温調節服１００の循環通路１５を流れる冷却水の所定以上の流量を確保することが困難となり、所望とする体温調節機能が得られなくなるおそれがある。
一方、バイパス流路２２５の流路抵抗が過度に大きいと、カプラ１７の接続解除時においてバイパス流路２２５を流れる冷却水の流量が低くなり、これにより蒸発器２１４の凍結による損壊を招くおそれがある。
【００３９】
体温調節服１００を循環する冷却水の流量を損なわずに所望とする体温調節機能を確保し、かつ、蒸発器２１４の凍結を防止しながら流体回路２２の締め切り状態を回避するため、バイパス流路２２５は、例えば、以下のように構成される。
すなわち、カプラ１７の接続時において、体温調節服１００の循環通路１５（送水配管２２２）を流れる冷却水の流量をＰ１、バイパス流路２２５を流れる冷却水の流量をＰ２としたとき、Ｐ２に対するＰ１の比（Ｐ２／Ｐ１）が例えば、０．４５以上０．６５以下、より好ましくは、０．５０以上０．６０以下となるように、バイパス流路２２５が構成される。これにより、体温調節服１００のサイズに依らずに、上述した作用効果を安定して得ることができる。
【００４０】
本実施形態では、冷却水に水が用いられ、バイパス流路２２５として、内径２〜５ｍｍ、長さ１５００ｍｍの管路で構成される。バイパス流路２２５は直線状のものに限られず、コイル状あるいは渦巻き状に形成されてもよいし、平面内で蛇行するように形成されてもよい。
【００４１】
さらに、目的とする流路抵抗を得るため、バイパス流路２２５は、例えば図３に示すように、吸水配管２２１と送水配管２２２との間に相互に並列的に接続された複数の流路２２５ａ，２２５ｂで構成されてもよい。流路の数は２つに限られず、３つ以上であってもよい。
【００４２】
バイパス流路２２５は、筐体３０の内部に設置されてもよいし、筐体３０の外面に設置されてもよい。バイパス流路２２５が筐体３０の外面に設置されることで、外気との熱交換によりバイパス流路２２５における冷却水の放熱性を高めることができる。これにより、蒸発器２１４の凍結をより効果的に回避することができる。本実施形態では、後述するように、作業者Ｕの身体（腰部）に対向する筐体３０の前面部３１にバイパス流路２２５が設置される。
【００４３】
制御部２３は、典型的には、ＣＰＵ（Central Processing Unit）やメモリを有するコンピュータで構成される。制御部２３は、圧縮機２１１、ポンプ２２４等の駆動を制御する。冷熱回路２１及び流体回路２２には、圧縮機２１１から吐出される冷媒の温度を検出するセンサ２１５や、蒸発器２１４に流入する冷媒の温度を検出するセンサ２１６、さらには、ポンプ２２４から吐出される冷却水の流量を検出するセンサ２２６等が設置される。これらのセンサの出力は、制御部２３において圧縮機２１１及びポンプ２２４の駆動制御の際に参照される。
【００４４】
図１に示すように、筐体３０は、前面部３１、後面部３２、底面部３３、天面部３４及び両側面部等を有する概略直方体形状に形成される。筐体３０は、典型的には金属材料で構成されるが、合成樹脂材料、金属材料と合成樹脂材料との複合体等で構成されてもよい。
【００４５】
前面部３１には、固定ベルト４０が取り付けられる。固定ベルト４０は、筐体３０を作業者Ｕの腰部背面に取り付けるためのもので、締付け力を調整可能なバックルを有する。前面部３１に対する固定ベルト４０の固定位置は特に限定されず、本実施形態では、底面部３３よりの前面部３１下方位置に固定ベルト４０が固定される。
【００４６】
前面部３１には腰当て部材３６がさらに設置される。腰当て部材３６は、作業者Ｕの腰部背面を支持する支持部として構成され、例えばクッション性を有するのが好ましい。これにより、筐体３０と作業者Ｕの背面との間の隙間をなくしてフィット性を高めることができる。
【００４７】
本実施形態では、腰当て部材３６の内部に、流体回路２２のバイパス流路２２５が設置される。これにより、腰当て部３６を介して作業者Ｕの腰部を局所的に冷却することができるとともに、バイパス流路２２５における冷却水の放熱性を高めることができる
【００４８】
筐体３０は後面部３２には、図示せずとも、入力操作部、表示部等が設けられる。入力操作部は、電源スイッチ、温度設定部等の操作キーを含む。表示部は、入力操作部の入力状態を表示する液晶ディスプレイ等の適宜の表示素子で構成される。表示部の表示制御は、例えば、制御部２３において実行される。
なお、入力操作部及び表示部は、後面部３２に設置される例に限られず、筐体３０の天面部３４や側面部に設置されてもよい。あるいは、図示しないリモートコントローラを介して入力操作を行うことが可能に構成されてもよい。
【００４９】
［流体温度調節装置の動作］
次に、以上のように構成される流体温度調節装置２００の典型的な動作について説明する。
【００５０】
流体温度調節装置２００は、体温調節服１００を着用した作業者Ｕの腰部に固定ベルト４０を介して取り付けられる。体温調節システム１は、典型的には、流体温度調節装置２００がカプラ１７を介して体温調節服１００に液的に接続された状態で使用される。
【００５１】
流体温度調節装置２００の駆動により、体温調節服１００の循環通路１５内の冷却水は、出水口１５１を介して吸水配管２２１に導入され、蒸発器２１４において所定温度に冷却され、送水配管２２２を介して入水口１５２へ導入される。このようにして体温調節服１００に所定温度の冷却水が循環する。これにより、作業者Ｕの身体を冷却し、高温環境下における現場での作業性の改善を図ることができる。
【００５２】
一方、作業者Ｕが一時的に現場から離れる等の理由で、ポンプ２２４の運転中、カプラ１７の接続が解除されて流体温度調節装置２００が体温調節服１００から分離され、カプラ１７の閉止作用によって流体回路２２が締め切られることがある。
このため、従来の体温調節装置においては、この締め切り状態でのポンプの運転の継続によるポンプの故障を防止するため、カプラどうしを別途用意した配管部材で相互に接続する等して、流体回路の締め切りを防いでいた。しかしながら、上記配管部材の管理やその取り付けは作業者にとって煩わしいだけでなく、配管部材の取り付け忘れがポンプの故障につながるという問題があった。
【００５３】
これに対して本実施形態の流体温度調節装置２００においては、流体回路２２に吸水配管２２１と送水配管２２２との間を接続するバイパス流路２２５が設けられているため、カプラ１７の接続が解除されたとしても、流体回路２２の締め切り状態が回避される。すなわち、バイパス流路２２５は、ポンプ２２４の運転中でのカプラ１７の接続解除時に、送水配管２２２内の冷却水を吸水配管２２１へバイパスして、ポンプ２２４の締め切り運転を回避する機能を有する。
【００５４】
以上のように本実施形態によれば、カプラ１７どうしを別途用意した配管部材で相互に接続することなく、流体回路２２の締め切り状態を回避して、ポンプ２２４を損傷から保護することができる。また、上記配管部材の管理や取り付け作業といった煩わしさが解消し、配管部材の取り付け忘れによるポンプの故障の心配もなくなるため、作業者Ｕの負担を軽減することが可能となる。
【００５５】
また、カプラ１７の接続解除時においても流体回路２２内の冷却水を循環させることができるため、蒸発器２１４と冷却水との熱交換を継続して蒸発器２１４を凍結による損壊から保護することができる。さらに、バイパス流路２２５を外気との熱交換器代わりに用いることで冷却水の放熱作用を確保でき、これにより蒸発器２１４の凍結防止効果をより一層高めることができる。
【００５６】
さらに、カプラ１７の接続解除時においてもバイパス流路２２５を介して流体回路２２内の冷却水を循環させることができるため、カプラの再接続時に所定温度の冷却水を体温調節服１００の循環通路１５に供給して、迅速に作業者Ｕの身体を冷却することができる。しかも、バイパス流路２２５が腰当て部２６に内蔵されているため、作業者Ｕの腰部を局所的に冷却して、作業者Ｕの身体の冷却効果を高めることができる。
【００５７】
以上、本発明の実施形態について説明したが、本発明は上述の実施形態にのみ限定されるものではなく種々変更を加え得ることは勿論である。
【００５８】
例えば以上の実施形態では、流体温度調節装置２００が固定ベルト４０を介して作業者Ｕの腰部に取り付け可能に構成されたが、これに限られず、例えば一対のストラップを介して作業者Ｕの背中に取り付けられるように流体温度調節装置が構成されてもよい。
【００５９】
また以上の実施形態では、流体温度調節装置２００が作業者Ｕの身体に取り付け可能に構成された携行型の流体温度調節装置を例に挙げて説明したが、これに限られず、作業者Ｕの近傍に配置される据え置き型の流体温度調節装置にも本発明は適用可能である。
【００６０】
さらに以上の実施形態では、体温調節服１００の循環通路１５を流れる流体が水である場合を例に挙げて説明したが、これに限られず、水以外の例えば不凍液などの水溶液あるいは非水系溶液を流体として用いられてもよい。
【符号の説明】
【００６１】
１…体温調節システム
１７，１７１，１７２…カプラ（第１、第２の接続部）
２１…冷熱回路
２２…流体回路
３０…筐体
４０…固定ベルト（固定具）
１００…体温調節服
１５１…出水口（流体送出口）
１５２…入水口（流体取入口）
２００…流体温度調節装置
２１４…蒸発器（熱交換器）
２２４…ポンプ
２２１…吸水配管（吸入配管）
２２２…送水配管（送出配管）
２２５，２２５ａ，２２５ｂ…バイパス流路
Ｕ…作業者
【図１】
2019108623.tif 000003
【図２】
2019108623.tif 000004
【図３】
2019108623.tif 000005